(57)【要約】【目的】本発明はペットの散歩や外出などで問題ともなっている排尿、排便の処理を、ペットに装備しておくだけで簡単に処理出来るペットの排便、排尿用具で、その排便、排尿用具と併用してペットの尻を隠しファッションなどを楽しむことをも目的としたお洒落なペットの装着型トイレに関するものである。【構成】面ファスナー６などの固着備品を付けペットの胴体に巻くベルト１に、ペットの尻尾を入れて位置決め固着するための尻尾入れ口３を設けて人力で曲げ調整出来る強度程度の自在アーム２を有し、自在アーム２の下部には内部に糞入れ袋５をセットする軽量型の広口容器４を有した基本構成であり、ペットの尻尾を基準として、ペットの肛門の位置へ広口容器４の入り口部を合わせて調整固定する方法をも特徴とする。【選択図】図１
2006212013.tif 000002
【特許請求の範囲】
【請求項１】
ペットの胴体に巻くベルト１に、ペットの尻尾を入れて位置決めするための尻尾入れ口３を設けた自在アーム２を有し、自在アーム２に内部に糞入れ袋５をセットする広口容器４を付けた基本構成であり、ペットの尻尾を基準として、ペットの肛門の位置へ広口容器４の入り口部を合わせて自在アーム２で調整固定する方法をも特徴とするペットの装着型トイレ。
【請求項２】
ペットの胴体に巻くベルト１に、ペットの尻尾を入れて位置決めし装着用の尻尾入れ口３を有した自在アーム２などに、広口容器４をカバーしペットのお尻を隠す御洒落用のお尻隠しカバー７を有した構成を特徴とする請求項１記載のペットの装着型トイレ。
【請求項３】
ペットの胴体に巻くベルト１内側のペニス位置に尿とりパット８を装着して雄のペットの排尿用おむつカバーを兼用することを特徴とした請求項１および請求項２記載のペットの装着型トイレ。
【発明の詳細な説明】
【技術分野】
【０００１】  本発明はペットの散歩や外出などで問題ともなっている排尿、排便の処理を、ペットに装備しておくだけで簡単に処理出来るペットの排便、排尿用具で、その排便、排尿用具と併用してペットの尻を隠しファッションなどを楽しむことをも目的としたお洒落なペットの装着型トイレに関するものである。
【背景技術】
【０００２】  ペットの外出時における排便処理には落ちた糞を回収する用具と落ちる時点でキャッチする用具とおむつ式の３種類の用具が一般的であった。
【発明が解決しようとする課題】
【０００３】  従来、ペットの散歩や旅行などペットを同伴しての外出で最も困るのが排尿、排便の処理であり、特に糞は環境的、衛生的な問題も多く早急な対応が必要であり、具体問題点を列記すれば、
（イ）散歩時には糞取り用具などを携帯せねばならず面倒でもあるし、糞の回収や清掃や持ち帰りなどはより大変であった。
（ロ）ペットは何時排尿、排便するか判らない場合が多いため周囲を汚す事もあり、同伴する場所が限定されペットとの外出が限定されていた。
（ハ）夜間の散歩も多いが暗くて糞の回収などは困難で環境を汚染していた。
（ニ）複数の犬を連れて散歩する場合には排尿、排便の処理はより困難であった。
（ホ）ペット用のおむつも市販されているが装着が面倒であり、使用後は一式廃棄しなければならず経費的にも環境的にも問題であるし、おむつの場合は排便と身体が密着するため身体を汚すなどの問題もあった。
（ヘ）高齢化社会などで愛するペットと自由に外出して癒されたいがトイレの問題により場所や時間が制約され癒し効果が少なかった。
（ト）雄犬は処かまわず排尿するマーキングがあるため特に問題であった。
（チ）我が子のように可愛がるペットの肛門が見えるのはチョット恥ずかしいものであった。
【課題を解決する手段】
【０００４】  問題を解決する手段を列記すれば、
請求項１については、面ファスナー６などの固着備品を付けペットの胴体に巻くベルト１に、ペットの尻尾を入れて位置決め固着するための尻尾入れ口３を設けて人力で曲げ調整出来る強度の自在アーム２を有し、自在アーム２の下部には内部に糞入れ袋５をセットする軟質軽量型の広口容器４を有した基本構成であり、ペットの尻尾を基準として、ペットの肛門の位置へ広口容器４の入り口部を合わせて調整固定する方法をも特徴とする。
【０００５】  請求項２についてはペットの胴体に巻くベルト１に、ペットの尻尾を入れて位置決めするための尻尾入れ口３を有した自在アーム２などに、広口容器４をカバーしペットのお尻を隠してファッションを楽しむ御洒落用のお尻隠しカバー７を有した構成とする。
【０００６】  請求項３については雄のペットの胴体に巻くベルト１内側のペニス位置に市販の尿とりパット８を装備する構成である。
【作用】
【０００７】  次に本発明の作用を述べると、
請求項１については、
（イ）ペットの尻尾を自在アーム２の尻尾入れ口３に入れ位置決めします。
（ロ）ベルト１をペットの胴体に巻いて面ファスナー６などで固着します。
（ハ）自在アーム２を人力で曲げ調整して広口容器４が肛門の排便処理位置にくるように調整します、このペットの尻尾を基準として調整する方法によりペットの体型などに応じたオリジナルの装着型トイレを可能とする作用である。
（ニ）広口容器４には糞入れ袋５をセットしておきます。
（ホ）ペットが排便した場合には広口容器４の糞入れ袋５に自動的に入る作用である。
（ヘ）雌のペットの場合には排尿の回収用にもそのまま適用出来る。
（ト）排便、排尿は帰宅後等に糞入れ袋５を取り出して処理する。
【０００８】  請求項２については自在アーム２の後部などに広口容器４とペットの尻を隠すお尻隠しカバー７によりお尻の肛門を隠すお洒落な作用をなすものである。
【０００９】  請求項３については雄のペット用に適用し胴体に巻いたベルト１内側にセットした尿とりパット８により排尿を吸収する作用であり、特に雄犬のマーキングに有効に作用します。
【発明を実施するための最良の形態】
【００１０】  具体実施例を述べれば、
（イ）本開発の装着型トイレをズボンやスカート型デザイン構成に組み込む。
（ロ）本開発の装着型トイレはペットに装着の負担がかからない軟質軽量素材とする。
（ハ）自在アーム２や広口容器４口部に針金などの芯を副えて自在性を持たせる構成とする。
（ニ）排便専用として使用する場合には糞入れ袋５に水切用の穴を開けておく。
【効果】
【００１１】  本発明によりペット同伴で安心して外出できますし、毎日の日課である散歩に於ても周囲に迷惑をかけることもなく楽しむことができペットによる癒し効果を高め明るく健康な社会作りに貢献するものであり、その具体効果を述べれば、
（イ）散歩時には糞取り用具などを携帯する必要もなく、糞の回収や清掃も不用となり楽しい散歩を可能とします。
（ロ）何時排尿、排便するか判らない場合でも装着方式であるため対応でき、同伴する場所が限定されることもなくペットとの外出が自由にできます。
（ハ）夜間の散歩でも装着しておれば排尿、排便の処理が可能で環境を汚染することもありません。
（ニ）複数の犬を連れて散歩する場合にでも装着しておけば排尿、排便の処理が可能であり大変便利です。
（ホ）ペット用のおむつのように装着が面倒ではなく、排尿、排便後は糞入れ袋５を棄てればよいし、経費的、環境的、衛生的にも有効であるし、おむつのように身体と密着しないため身体を汚すことも少ない。
（ヘ）ベルト１に尿とりパット８を組み合せることにより雄犬のマーキングにも対応できます。
（ト）お尻隠しカバー７によりペットのお尻の肛門を隠すためにお洒落なファッション感覚で楽しく外出できます。
（チ）愛するペットと連れだって自由に外出できるため、精神的癒し効果を高め、特に高齢化社会における心と身体のケアーに大きく貢献します。
【図面の簡単な説明】
【図１】本発明の一例を示す斜視図
【図２】本発明の請求項２のお尻カバーを付けた一例を示す斜視図
【図３】本発明の一例で犬に装着した状態の斜視図
【符号の説明】
１はベルト          ２は自在アーム      ３は尻尾入れ口
４は広口容器        ５は糞入れ袋        ６は面ファスナー
７はお尻隠しカバー  ８は尿とりパット
【図１】
2006212013.tif 000003
【図２】
2006212013.tif 000004
【図３】
2006212013.tif 000005